(57)【要約】【課題】洗濯後の衣類と共に乾燥機の中に放り込むことにより、乾燥中に衣類の洗濯ジワを取ることができるシワ取りネットを提供することを目的とする。【解決手段】シワ取りネット５は、洗濯後の衣類と共に乾燥機の中に放り込んで、衣類の洗濯ジワを取るために用いられるもので、合成繊維でできた２枚のメッシュ状ネット６と、この２枚のメッシュ状ネット６の間に挟まれ、仕上げ剤を含む水溶液を着脱する保水性生地７と、を備える。【選択図】図１
0003205005.tif 000002
【実用新案登録請求の範囲】
【請求項１】
洗濯後の衣類と共に乾燥機の中に放り込んで、衣類の洗濯ジワを取るシワ取りネットであって、
合成繊維でできた２枚のメッシュ状ネットと、
前記２枚のメッシュ状ネットの間に挟まれ、仕上げ剤を含む水溶液を着脱する保水性生地と、を備えたシワ取りネット。
【請求項２】
前記保水性生地は、ポリエステル製マイクロファイバーで形成される請求項１に記載のシワ取りネット。
【請求項３】
前記仕上げ剤は、柔軟剤と、シリコン剤と、帯電防止剤と、糊とを含む請求項１又は２に記載のシワ取りネット。
【考案の詳細な説明】
【技術分野】
【０００１】
本考案は一般にシワ取りネットに関するものであり、より特定的には、衣類乾燥機の中に洗濯後の衣類と共に投入されると、この衣類の洗濯ジワを取る作用を行うシワ取りネットに関する。
【背景技術】
【０００２】
家庭では、衣類の洗濯ジワ取りに、スムーザなどを用いてアイロンがけを行う。図５は、アイロン台１の上で、スチームアイロン２を用いて衣類３にアイロンがけを行い、シワを伸ばしている様子を示す図である。アイロン台１は、脚４が付いたものを使用し、これによってスチームがちゃんと下まで通る。スムーザーは、アイロン２を軽々と滑らせて、洗濯ジワをラクに取るために用いられる。えりやカフスなどハリを持たせたい部分には、アイロン用キーピングが用いられる。
【０００３】
しかし、従来のアイロン台１では、脚４を付けることによってスチームが下まで通るように工夫されているが、充分に衣類３の洗濯ジワが取れないというのが現状である。
【０００４】
このような問題点を解決するために、既に、考案者らは、バキュウム力により、衣類を仕上げ台に吸着させ、安定させる事が仕上げの効率を上げることを見出し、さらに、仕上りの映えは、アイロンの蒸気やプレス力よりも、仕上げ台そのもののバキュウム力が全ての効率を上げることを見出し、一般家庭用簡易型バキュウム補助装置付きアイロン台を提案した。（特許文献１参照）
【先行技術文献】
【特許文献】
【０００５】
【特許文献１】実用新案登録第３２０３０１９号
【考案の概要】
【考案が解決しようとする課題】
【０００６】
また、考案者らは、上述の一般家庭用簡易型バキュウム補助装置付きアイロン台を用いると、風合い加工助剤を含む水性の繊維加工助剤が、衣類の繊維内に毛細管現象により浸透して、該繊維を構成する高分子物質に吸着され、繊維の芯を形成し、繊維の精練時の加工状態が復元され、風合いが復元することを見出している（実願２０１６−００１００４号）。
【０００７】
考案者は、これらの考案との関連で、さらに鋭意研究を行った結果、特殊なネットに特殊な薬液を含浸させて、このネットを、洗濯後の衣類と共に、乾燥機の中に投入することによって、乾燥時に、乾燥を兼ねて、衣類の洗濯ジワを取ることができることを見出し、本考案に到達した。
【０００８】
すなわち、本考案は、乾燥機の中に洗濯後の衣類とともに投入することにより、乾燥中に衣類の洗濯ジワを取ることができるシワ取りネットを提供することを目的とする。
【課題を解決するための手段】
【０００９】
本考案は、洗濯後の衣類と共に乾燥機の中に放り込んで、衣類の洗濯ジワを取るシワ取りネットに係り、合成繊維でできた２枚のメッシュ状ネットと、上記２枚のメッシュ状ネットの間に挟まれ、仕上げ剤を含む水溶液を着脱する保水性生地と、を備える。
【００１０】
本考案に係るシワ取りネットによれば、洗濯後の衣類と共に乾燥機に投入して回転させると、乾燥機中でシワ取りネットと衣類が接触したときに、上記保水性生地中に含まれていた、仕上げ剤である、柔軟剤とシリコン剤と帯電防止剤と糊が溶けた水溶液が、衣類に移染する。
【００１１】
上記２枚のメッシュ状ネットと上記保水性生地は、糸を通した針で、縁部及び中央部が対角線状に、刺し綴られているのが好ましい。
【００１２】
上記シワ取りネットの大きさは、縦４００〜５００ｍｍ、横４００〜５００ｍｍ、厚み５〜６ｍｍで、風呂敷のような外観を有する。上記メッシュ状ネットの厚みは、２〜３ｍｍであるのが好ましい。
【００１３】
衣類乾燥機は、一般家庭用の乾燥機で充分であり、業務用のものでもよい。
【００１４】
上記メッシュ状ネットは合成樹脂で形成され、好ましくはポリエステル繊維で形成される。ナイロンでもよいが、ナイロンにすると劣化しやすくなるので工夫が必要である。メッシュにしたのは風通しをよくさせるためである。
【００１５】
上記保水性生地は、ポリエステル製のマイクロファイバー生地が好ましい。ファイバーとファイバーの隙間が毛細管現象により、保水性を有するのである。上記保水性生地にメリヤス生地を使うことも考えられるが、熱収縮するので工夫が必要である。
【００１６】
上記仕上げ剤は、柔軟剤と、シリコン剤と、帯電防止剤と、糊とを含むのが好ましい。
【００１７】
上記柔軟剤は、カチオン系のもので、衣類をやわらかくするために用いられる。上記シリコン剤は、衣類のシワを良く伸ばす効果を有する。上記帯電防止剤は、乾燥機の中で、衣類同士が静電気のためにくっつき合うのを防止する。上記糊は、生地をしっかりさせる。ＰＶＡ（ポリビニルアルコール）が好ましく用いられる。
【００１８】
上記仕上げ剤を３〜５重量％水に溶かせた水溶液に、当該シワ取りネットを漬けて、手で絞ることにより、上記保水性生地中に、柔軟剤とシリコン剤と帯電防止剤と糊が溶けた水溶液を含浸させることができる。手で絞ることにより、余分な水溶液を取り除くのは、洗濯後の衣類にクマが発生するのを防止するためである。
【００１９】
衣類として、ワイシャツ、下着、パンツ、ズボン、靴下、スカート、背広、セータ、ブラウス、ワンピース、コート、スーツ、ドレスなど、家庭で洗濯して乾燥を行う全品に、本考案は適用可能である。
【考案の効果】
【００２０】
本考案に係るシワ取りネットによれば、衣類乾燥機の中に、洗濯後の衣類とともに放り込み、回転させるだけで、乾燥中に、衣類のシワを伸ばし、衣類をやわらかくし、ハリのある、しっかりした衣類に仕上がる。アイロンがけで、これらを行うのでなく、乾燥中に、乾燥を兼ねて洗濯ジワを取ることができるので、効率が良い。
【図面の簡単な説明】
【００２１】
【図１】（Ａ）はシワ取りネットの斜視図、（Ｂ）は図１（Ａ）におけるＢ−Ｂ線に沿う断面図である。
【図２】本考案の動作を説明する第１の図であり、乾燥機の中に、衣類とともに、シワ取りネットを放り込む様子を示す図である。
【図３】本考案の動作を説明する第２の図であり、乾燥機の回転ドラムの中の様子を示す概念図である。
【図４】本考案の動作を説明する第３の図であり、（Ａ）は乾燥後の衣類の正面図であり、（Ｂ）は、図４（Ａ）におけるＢ部拡大図である。
【図５】従来のアイロンがけの様子を示す図である。
【考案を実施するための形態】
【００２２】
乾燥機による乾燥中に衣類の洗濯ジワを取るという目的を、合成繊維でできた２枚のメッシュ状ネットと、該２枚のメッシュ状ネットの間に挟まれ、仕上げ剤を含む水溶液を着脱する保水性生地とを備えたシワ取りネットを準備し、これに仕上げ剤である、柔軟剤とシリコン剤と帯電防止剤と糊が溶けた水溶液を含浸させ、このシワ取りネットを衣類乾燥機の中に、洗濯後の衣類とともに放り込むことによって実現した。以下、この考案の実施例を図を用いて説明する。なお、各図中、同一又は相当する部分には同一の参照番号を付し、その説明を繰り返さない。
【実施例１】
【００２３】
図１（Ａ），（Ｂ）に示すように、本考案に係るシワ取りネット５は、洗濯後の衣類と共に乾燥機の中に放り込んで、洗濯後の衣類の洗濯ジワを取るために用いられるもので、合成繊維でできた２枚のメッシュ状ネット６と、この２枚のメッシュ状ネット６の間に挟まれた、仕上げ剤を含む水溶液を着脱する保水性生地７とを備える。シワ取りネット５の大きさは、例えば４５０ｍｍ×４５０ｍｍであり、厚みは５〜６ｍｍであり、風呂敷のような外観をしている。２枚のメッシュ状ネット６と保水性生地７は、糸１６を通した針で、縁部及び、中央部が対角線状に、刺し綴られて、固定されている。メッシュ状ネットとしたのは、風通しを良くするためである。メッシュ状ネットは、ポリエステル繊維で形成されている。
【００２４】
上記メッシュ状ネット６の厚みは、２〜３ｍｍである。
【００２５】
上記保水性生地７には、ポリエステル製のマイクロファイバー生地を用いた。ナイロンファイバーで形成されてもよいが、劣化の点で、ポリエステル製が好ましい。
【００２６】
動作について、説明する。まず、上記柔軟剤と、シリコン剤と、帯電防止剤と、糊（ＰＶＡ）を３〜５重量％水に溶かせた水溶液に、シワ取りネット５を漬けて、手で絞ることにより、保水性生地７であるポリエステル製マイクロファイバー生地中において、ファイバーとファイバーの隙間に毛細管現象により、仕上げ剤である、柔軟剤とシリコン剤と帯電防止剤と糊が溶けた水溶液が浸透して、保持される。
【００２７】
図２を参照して、洗濯かご９から取り出した衣類３とともに、仕上げ剤を含浸させたシワ取りネット５を乾燥機８（一般家庭用乾燥機でよい）の回転ドラムの中に放り込む。
【００２８】
図３は、回転ドラム１０の中の様子を示す概念図である。図３に示すように、回転ドラム１０の中に放り込まれた洗濯後の衣類３とシワ取りネット５は、図中、（ａ）、（ｂ）、（ｃ）のように回転移動し、ついには（ｄ）に示すように、互いに接触する。この接触時に、シワ取りネット５の保水性生地７中に含まれていた仕上げ剤が、衣類３に移染する。回転ドラム１０中には、熱風１１が送り込まれているので、熱風１１がシワ取りネット５を通過し、仕上げ剤の移染を受けた衣類３を通過する。
【００２９】
このときに、次の作用効果が生じる。すなわち、図４（Ａ）に示す衣類３の部分拡大図である図４（Ｂ）に示すように、仕上げ剤の移染を受けた衣類３の中を熱風１１が通過することにより、仕上げ剤１３が、熱風の熱により、衣類３の繊維１２内に毛細管現象により浸透する。さらに、仕上げ剤１３に含まれる糊（ＰＶＡ）が、繊維１２を構成する高分子物質１４に吸着されて固定され、繊維の芯１５を形成する。繊維の芯１５が形成されると、ハリのある、しっかりした衣類３に仕上がるのである。同時に移染してきた柔軟剤が、衣類３をやわらかくする。また同時に移染してきたシリコン剤が、衣類３のシワを伸ばす。なお、同時に移染してきた帯電防止剤は、乾燥機の中で、衣類３同士が静電気のためにくっつき合うのを防止する。熱風１１の風量が大きくなるほど、これらの効果が上がることが見出された。アイロンがけで、これらの効果を得るのではなく、乾燥中に、乾燥を兼ねて洗濯ジワを取ることができるので、効率が良い。もちろん、アイロンがけを追加的に行うと、さらなるシワ伸ばし効果が得られる。
【００３０】
シワ取りネット５は、回収後、再び、上記柔軟剤と、シリコン剤と、帯電防止剤と、糊（ＰＶＡ）を３〜５重量％水に溶かせた水溶液に漬けることにより、何回も何回も繰り返して使用することができる。
【００３１】
なお、上記実施例では、保水性生地として、ポリエステル製のマイクロファイバー生地を用いる場合を例示したが、この考案はこれに限られるものでなく、保水性があり、上述の仕上げ剤を含む水溶液を容易に着脱するものであれば、いずれも適用できる。
【００３２】
また、上記実施例では、仕上げ剤として、柔軟剤と、シリコン剤と、帯電防止剤と、糊とを含む場合を例示したが、この考案はこれに限られるものでなく、その他の助剤を必要に応じて添加することができる。
【００３３】
また、上記実施例では、一般家庭用乾燥機を用いる場合を例示したが、業務用の乾燥機を用いても、本考案は適用可能である。
【００３４】
今回開示された実施例はすべての点で例示であって制限的なものではないと考えられるべきである。本考案の範囲は上記した説明ではなくて実用新案登録請求の範囲によって示され、実用新案登録請求の範囲と均等の意味および範囲内でのすべての変更が含まれることが意図される。
【産業上の利用可能性】
【００３５】
本考案に係るシワ取りネットを、洗濯後の衣類と共に一般家庭用乾燥機中に放り込むことにより、乾燥時に、乾燥を兼ねて、洗濯ジワが取れ、かつ、衣類にハリを持たせることができる。
【符号の説明】
【００３６】
１     アイロン台
２     スチームアイロン
３     衣類
４     脚
５     シワ取りネット
６     メッシュ状ネット
７     保水性生地
８     乾燥機
９     洗濯かご
１０   回転ドラム
１１   熱風
１２   繊維
１３   仕上げ剤
１４   高分子物質
１５   繊維の芯
１６   糸
【図１】
0003205005.tif 000003
【図２】
0003205005.tif 000004
【図３】
0003205005.tif 000005
【図４】
0003205005.tif 000006
【図５】
0003205005.tif 000007